(57)【要約】      （修正有）【課題】用紙全体をカレンダーとしてもメモ書きとしても、またノートなどとしても使用できるようにしたカレンダー用紙を提供することを目的とする。【解決手段】用紙本体２の上に曜日や日付からなるカレンダー部４を有するカレンダー用紙１において、前記カレンダー部４における曜日や日付が、グレースケールにおける輝度値において２００〜２５０の範囲内で印刷したり、あるいは、前記カレンダー部４における曜日や日付を、ＲＧＢにおける各輝度値において２００〜２５０の範囲内となるように印刷する。さらに、用紙本体２との輝度値の差を１０〜５０の範囲内とし、厚み方向に綴ることによって裏側のカレンダー部４を浮き上がらせて濃く見せるようにする。【選択図】図１
0003203627.tif 000002
【実用新案登録請求の範囲】
【請求項１】
用紙本体の上にカレンダーを構成する曜日や日付からなるカレンダー部を印刷したカレンダー用紙において、
前記カレンダー部における曜日や日付を、スキャナーで画像を取得された際のグレースケールにおいて２００〜２５０の範囲内の輝度値で印刷したことを特徴とするカレンダー用紙。
【請求項２】
用紙本体の上にカレンダーを構成する曜日や日付からなるカレンダー部を印刷したカレンダー用紙において、
前記カレンダー部における曜日や日付を、スキャナーで画像を取得された際のＲＧＢにおいて２００〜２５０の範囲内の各輝度値で印刷したことを特徴とするカレンダー用紙。
【請求項３】
前記用紙本体とカレンダー部の輝度値の差が１０〜５０の範囲内である請求項１または２に記載のカレンダー用紙。
【請求項４】
前記カレンダー部が１ヶ月もしくは１２ヶ月分の曜日と日付を印刷したものであり、前記用紙本体を厚み方向に綴るようにしたものである請求項１または２に記載のカレンダー用紙。
【考案の詳細な説明】
【技術分野】
【０００１】
本考案は、カレンダーを印刷した手帳やメモ帳、ノートなどのような用紙に関するものであり、より詳しくは、その用紙をメモ書きとしても有効活用できるようにしたカレンダー付き用紙に関するものである。
【背景技術】
【０００２】
従来の一般的なカレンダーを印刷した用紙や手帳などについて、図２〜図３を用いて説明する（特許文献１など）。
【０００３】
図２において、符号５は曜日や日付などを記載したカレンダー部である。このカレンダー部５は、用紙のほぼ全面にわたって設けられた格子状の枠内に曜日や日付などを印刷してなるものであり、その格子状の枠内の記入欄に予定などを記入できるようにしたものである。また、図３は別の形態における手帳を示したものであり、用紙の片面もしくは片隅に曜日や日付などのカレンダー部６を設けるとともに、その他の余白部分に予定などを記入できるようにしたものである。このような用紙や手帳などを用いれば、曜日や日付を全体的に眺めながら予定を記入することができるため、一目で今月の予定や今週の予定などを把握することができるというメリットがある。
【先行技術文献】
【特許文献】
【０００４】
【特許文献１】特開２０１５−１４７３８３号公報
【考案の概要】
【考案が解決しようとする課題】
【０００５】
しかしながら、このような用紙や手帳は、曜日や日付に対応した部分を濃く印刷するとともに、格子状の枠内や余白部分に予定を記入できるようにしたフォーマットとなっているため、枠内や余白部分以外の領域には予定などを記入することができない。また、このようなカレンダーを記載した用紙については、その日時が過ぎ去った後においては不要なものになってしまい、メモ用紙として使用する場合は、裏面を使用せざるを得なかった。
【０００６】
そこで、本考案は上記課題に着目してなされたもので、用紙全体をカレンダーとしてもメモ書きとしても使用できるようにしたカレンダー用紙を提供することを目的とする。
【課題を解決するための手段】
【０００７】
すなわち、本考案は上記課題を解決するために、用紙本体の上にカレンダーを構成する曜日や日付からなるカレンダー部を印刷したカレンダー用紙において、前記カレンダー部における曜日や日付を、スキャナーで画像を取得された際のグレースケールにおいて２００〜２５０の範囲内の輝度値で印刷するようにしたものである。
【０００８】
このように構成すれば、文字を薄く印刷してその上からメモなどを記入することができ、用紙全体をメモ用紙としてもカレンダーとしても使用することができるようになる。
【０００９】
また、このような考案において、前記カレンダー部における曜日や日付がカラーで印刷されている場合、スキャナーで画像を取得された際のＲＧＢの各輝度値を２００〜２５０の範囲内とする。
【００１０】
このように構成した場合も、カラーで印刷された状態が薄くなっているため、用紙全体に曜日や日付の上から記入することができるようになる。
【００１１】
さらに、前記用紙本体とカレンダー部の輝度値の差が１０〜５０の範囲内となるようにする。
【００１２】
このように構成すれば、用紙本体との濃淡差が少なくなるので、カレンダー部を目立たせることなく用紙全体にメモ書きをすることができるようになる。
【００１３】
また、前記カレンダー部を１ヶ月もしくは１２ヶ月分の曜日と日付を印刷するようにし、前記用紙本体を厚み方向に綴るようにする。
【００１４】
このように構成すれば、曜日や日付が薄く印刷されている場合であっても、用紙を重ね合わせることで曜日や日付を濃く見せることができるようになる。
【考案の効果】
【００１５】
本考案によれば、用紙本体の上にカレンダーを構成する曜日や日付からなるカレンダー部を印刷したカレンダー用紙において、前記カレンダー部における曜日や日付を、スキャナーで画像を取得された際のグレースケールにおいて２００〜２５０の範囲内の輝度値で印刷したり、あるいは、スキャナーで画像を取得された際のＲＧＢにおける各輝度値が２００〜２５０となる範囲内で印刷するようにしたので、文字を薄く印刷してその上からメモなどを記入することができ、用紙全体をメモ用紙としてもカレンダーとしても使用することができるようになる。
【図面の簡単な説明】
【００１６】
【図１】本考案の一実施の形態を示すカレンダーを印刷してメモ帳を示す全体図
【図２】従来例を示す図
【図３】従来例を示す図
【考案を実施するための形態】
【００１７】
以下、本考案の一実施の形態について図面を参照しながら説明する。
【００１８】
この実施の形態におけるカレンダー用紙１は、上端部１０を綴じることで下方を捲れるようにして、メモ帳として使用できるようにしたものであって、用紙本体２に曜日や日付からなるカレンダー部４を薄く印刷するようにしたものである。そして、このように薄く印刷することによって、その曜日や日付の上から鉛筆やボールペンなどで文字を記入できるようにするとともに、その用紙本体２をカレンダーとしても使用できるようにしたものである。以下、本考案の一例を示す実施の形態について詳細に説明する。
【００１９】
まず、用紙本体２は、薄い長方形状の紙で構成されるものであって、０．０５ｍｍ〜０．１５ｍｍ程度の厚みを有するようになっている。この用紙本体２の色については、後述する曜日や日付などのカレンダー部４を構成する色との関係で相対的に決定されるものであるが、ここでは白色系の色を有するものとする。
【００２０】
このような色を表現する場合、ＲＧＢ、ＣＭＹＫ、ＨＳＢ、Ｌａｂなどの方法で色を表現することができる。このうちＲＧＢは、Ｒ（赤）、Ｇ（緑）、Ｂ（青）の光を重ねることによって色を表現したものであり、０（ブラック）〜２５５（ホワイト）の輝度値で表現するようにしたものである。一方、ＣＭＹＫは、用紙に印刷されるインクの光の吸収性をもとにカラーを生成するようにしたものであって、Ｃ（シアン）、Ｍ（マゼンタ）、Ｙ（イエロー）、Ｋ（ブラック）の使用量に相当する値で表現されるものであって、０％〜１００％の値で指定されるものである。また、ＨＳＢモデルは、人間のカラーの知覚に基づいて表現したものであり、Ｈ（色相）、Ｓ（彩度）、Ｂ（明度）をそれぞれ０〜１００までの数値で指定したものである。また、Ｌａｂモデルは、Ｌ（明度）、ａ・ｂ（色相と彩度を示す色度）で表すようにしたものである。色を表現する場合、これらのいずれの表現方法で色や濃さなどを表現してもよいが、コンピュータのディスプレイを見ながら印刷設定する場合や、印刷された用紙をスキャナーで取り込んで色や濃さなどをディスプレイで確認しやすいように、ＲＧＢモデルを用いて色を設定するものとする。もちろん、ここではＲＧＢモデルを用いて色や濃さを説明するが、これ以外の方法（例えば、Ｌａｂモデルなど）で対応する色や濃さで表現することもできる。
【００２１】
まず、用紙本体２の色を設定する場合、スキャナーで取り込んだ際の色としてグレースケールの輝度値を２４０〜２５５の範囲内の色とする。また、この用紙本体２が着色されている場合は、ＲＧＢの３つのうちの最大値と最小値の２つを足して２で割った中間値法や、ＲＧＢのそれぞれの値に重み付けをして３で割って平均をとった加重平均法などを用いてグレースケールの輝度値に変換して表現することができる。
【００２２】
このような白色系の用紙本体２の表面には、図１で示されるような罫線で囲まれた格子状の枠３が設けられる。この格子状の枠３は、メモ帳として文字を記入する際に、その中に文字などを記入できるようにするとともに、その中に曜日や日付などを印刷して日付と曜日を対応させて見やすくしたものである。この枠３は、用紙全体に文字などを記入できるように、カレンダー部４である曜日や日付の外側部分にも印刷されており、用紙本体２の略８０％〜１００％の領域（図１においては１００％の領域）に印刷されるようになっている。
【００２３】
一方、カレンダー部４を構成する曜日や日付については、格子状の枠３の中に印刷されており、例えば、一つの枠３に一つの曜日や日付などを印刷するようにしている。この曜日や日付については、全体を小さく印刷すれば、その文字の薄さのために見難くなるため、可能な限り用紙全体的に印刷するようにしており、ここでは曜日や日付の全体を囲む矩形領域をカレンダー部４とした場合、そのカレンダー部４を用紙本体２の５０〜１００％の範囲内となるようにしておく。
【００２４】
これらのカレンダー部４を構成する曜日や日付の色については、可能な限り用紙本体２の色に近づけるようにしており、上述のように用紙本体２のグレースケール値が２４０〜２５５の範囲内である場合、曜日や日付の色についても、グレースケールの値で２００〜２５０の範囲内であって、かつ、用紙本体２とのグレースケールの値の差が１０〜５０の範囲内となるようにしておく。
【００２５】
ところで、このように用紙本体２に薄く曜日や日付を印刷した場合、非常に文字が薄いと見難くなってカレンダーを読み取ることが難しくなる可能性がある。そのため、ここでは、一枚の用紙本体２に１２ヶ月分のカレンダーを印刷しておき、これと同じ用紙本体２の上端部１０を綴じて厚み方向に重ねるようにする。すると、重ね合わされた際に、裏側の用紙が表側の用紙に透き通って文字が写り込み、一枚だけの場合よりも相対的に濃くカレンダー部４の曜日や日付を浮き上がらせることができるようになる。
【００２６】
そして、このように構成されたカレンダー用紙１を使用する場合は、薄く印刷されたカレンダー部４の特定の曜日に丸印を付けて予定を記入したり、あるいは、曜日や日付とは無関係に、その用紙本体２の全体に文字などを記入してメモ書きとして使用したりすることができる。
【００２７】
このように上記実施の形態によれば、用紙本体２の上に曜日や日付からなるカレンダー部４を有するカレンダー用紙１において、前記カレンダー部４における曜日や日付が、スキャナーで画像を取得された際のグレースケールにおける輝度値において２００〜２５０の範囲内で印刷したり、あるいは、前記カレンダー部４における曜日や日付を、スキャナーで画像を取得された際のＲＧＢにおける各輝度値において２００〜２５０の範囲内で印刷するようにしたので、非常に薄く印刷された文字の上からメモなどを記入することができ、用紙全体を使用してメモ書きをすることができるようになる。
【００２８】
また、用紙本体２とカレンダー部４の輝度値の差が１０〜５０の範囲内となるようにしたので、用紙本体２との濃淡差を少なくすることができ、カレンダー部４を目立たせることなく用紙全体にメモ書きをすることができるようになる。
【００２９】
さらに、カレンダー部４に１２ヶ月分の曜日と日付を印刷するようにして、厚み方向に綴らせるようにしたので、曜日や日付が薄く印刷されている場合であっても、用紙を重ね合わせることで、表側の用紙に浮き出させて曜日や日付を濃く見せることができるようになる。
【００３０】
なお、本考案は上記実施の形態に限定されることなく、種々の態様で実施することができる。
【００３１】
例えば、上記実施の形態では、上端部１０を綴じたメモ帳を具体例に挙げて説明したが、見開きを有するノートや手帳などに、同様に薄く印刷したカレンダー部４を設けるようにしてもよい。
【００３２】
また、上記実施の形態では、格子状の枠３に曜日や日付を印刷するようにしたが、このような枠３を設けることなく曜日や日付などを印刷するようにしてもよい。
【００３３】
さらに、上記実施の形態では、一枚の用紙本体２に１２ヶ月分の曜日や日付を印刷するようにしたが、１ヶ月分の曜日や日付を薄く印刷して、所定枚数ごとに綴るようにしてもよい。
【００３４】
さらに、上記実施の形態では、用紙本体２を白色系にして曜日や日付もこれに近い白色系にしたが、用紙本体２が着色されているときは、その色とのＲＧＢの輝度値の差が１０〜５０の範囲内に収まるようにカレンダー部４を印刷するとよい。
【符号の説明】
【００３５】
１・・・カレンダー用紙
２・・・用紙本体
３・・・枠
４・・・カレンダー部
５、６・・・従来のカレンダー部
【図１】
0003203627.tif 000003
【図２】
0003203627.tif 000004
【図３】
0003203627.tif 000005